(57)【要約】【課題】本発明は、ボード部材の係合位置を上下方向に変更できるように構成した自動車荷室のボード昇降装置において、スライドピンをスライド移動させるスライド係合溝を床面下方位置に形成して荷室床面に露出するのを防ぎ、また、スライドピンのスライド移動をより円滑に行なうことができ、さらに、複数の開閉部を有するガイド部材の取付け構造も簡略化できる自動車荷室のボード昇降装置を提供することを目的とする。【解決手段】ガイド部材３０は、スライド係合溝２２に組付けた状態で第一開閉ハネ部３１が後方側に倒れることで下面側通路２８を閉鎖して、第二開閉ハネ部３２が前方中央側に起き上がることで上面側通路２９を開放している。これは、第一開閉ハネ部３１の方が重く、第二開閉ハネ部３２が第一開閉ハネ部３１とスプリング部材を介して連結されているからである。【選択図】図５
2009241795.tif 000002
【特許請求の範囲】
【請求項１】
車体後部の荷室内に設置される床面ボード部材と、該床面ボード部材の前部側方に設けたスライドピンと、荷室側面に設けられ該スライドピンがスライド自在に係合するスライド係合溝と、を備えた自動車荷室のボード昇降装置であって、
前記スライド係合溝が、水平方向に延びて上方に床面を構成する上壁を有する溝形状の水平溝部と、該水平溝部から下方側に略上下方向に延びる溝形状の上下溝部とを備え、
該上下溝部と水平溝部との間には、前記スライドピンの移動を開閉動作で制御するガイド部材を設け、
該ガイド部材には、前記スライドピンの前記上下溝部の下部から前記水平溝部の第一端部への移動を許容し、該第一端部から前記上下溝部の下部への移動を制限する第一開閉部と、
前記スライドピンの前記水平溝部の前記第一端部から第二端部への移動を許容し、該第二端部から前記第一端部への移動を制限する第二開閉部とを備え、
該第一開閉部と該第二開閉部を同一の回動軸で回動自在に軸支して、
該第一開閉部と該第二開閉部の開閉動作が連動するように連結する連結手段を備えた
自動車荷室のボード昇降装置。
【請求項２】
前記第一開閉部と第二開閉部は、一方を他方に対して重く設定しており、該一方の自重で他方の開閉動作を制御する
請求項１記載のボード昇降装置。
【請求項３】
前記連結手段が、前記第一開閉部と前記第二開閉部とを所定姿勢に付勢する付勢部材である
請求項２記載のボード昇降装置。
【請求項４】
前記連結手段が、前記第一開閉部と前記第二開閉部とを一体化する構造である
請求項２記載のボード昇降装置。
【請求項５】
前記第一開閉部と第二開閉部は、長さが異なるように形成して、
該長さの長い方の開閉部の中間に、開放時に前記水平溝部の上壁に沿って変形する変形部を設けた
請求項２又は４記載のボード昇降装置。
【請求項６】
前記水平溝部の上壁の一部に、前記開閉部が嵌る凹部を設けた
請求項１〜４いずれか記載のボード昇降装置。
【請求項７】
前記凹部が、前記スライドピンをスライド係合溝に対して着脱する開口部である
請求項６記載のボード昇降装置。
【請求項８】
前記水平溝部の上壁の上面を、上側位置にある前記床面ボード部材の上面と略面一の高さに設定して荷室床面サイド部とした
請求項１〜７いずれか記載のボード昇降装置。
【請求項９】
前記スライドピンを、前記床面ボード部材の側方投影面内で上下中央位置より下方側にオフセットして設けた
請求項８記載のボード昇降装置。
【請求項１０】
前記上下溝部を、傾斜勾配を有するように形成して、
前記第一開閉部を、該上下溝部の下面側通路を開閉する位置に無負荷時閉鎖するように設け、
前記第二開閉部を、前記上下溝部の上面側通路を開閉する位置に無負荷時起立開放するように設けた
請求項１〜９いずれか記載のボード昇降装置。
【請求項１１】
前記第一開閉部と第二開閉部は、略等長の長さで形成して、
該第一開閉部の自重で第二開閉部を起立方向に開閉動作するように、該第二開閉部の幅を、第一開閉部の幅よりも幅狭に形成した
請求項１〜４、６〜１０いずれか記載のボード昇降装置。
【請求項１２】
前記上下溝部は、水平溝部との前後境界部分に、それぞれ略同じ勾配で傾斜した傾斜面を備える
請求項１１記載のボード昇降装置。
【発明の詳細な説明】
【技術分野】
【０００１】
この発明は、自動車荷室のボード昇降装置に関し、特に、ボード部材の係合位置（支持位置）を上下方向に自由に変更できるように構成した自動車荷室のボード昇降装置に関する。
【背景技術】
【０００２】
従来より、車両の荷室内の容量の確保しつつ、荷物の出し入れのしやすさを両立するため、荷室フロアの位置を、昇降式のボード部材を用いることで、上下方向に自由に変更できるボード昇降装置が知られている。
【０００３】
例えば、下記特許文献１においては、ボード部材の前端側部に車幅外方側に延びるスライドピン（突出部）を設け、このスライドピンを荷室側面に設けたスライド係合溝に嵌め込んで、前後方向及び上下方向にスライド可能に支持させることで、ボード部材の係合位置（支持位置）を上下方向に変更するボード昇降装置が記載されている。
【０００４】
この特許文献１のボード昇降装置では、スライド係合溝内に開閉自在に回動するガイド部材を設けることで、スライドピンの支持位置を変更できるように構成している。
【０００５】
また、下記特許文献２のボード昇降装置においては、スライド係合溝内に弾性力によって開閉自在となったばね性薄板製のヒンジ軸案内片を設けることで、スライドピンの支持位置を変更できるように構成している。
【特許文献１】特開２００５−２１９７０２号公報
【特許文献２】特開２００７−９１１０５号公報
【発明の開示】
【発明が解決しようとする課題】
【０００６】
ところで、こうしたボード昇降装置においては、荷室内に設置されるため、できるだけ見栄えを向上させることが要求される。このため、スライド係合溝等は、荷室床面に露出させることなく、ボート部材の下方位置に設けることが求められる。
【０００７】
この点、特許文献１のボード昇降装置においては、水平方向に延びるスライド通路がガイド部材の上方に設定されているため、スライド係合溝等が荷室床面に露出することになり望ましくない。
【０００８】
一方、特許文献２のボード昇降装置においては、ボード部材の下方位置にスライド係合溝が設けられており、水平方向に延びるスライド溝も床面を構成する上壁部によって覆われているため、スライド係合溝が荷室床面に露出することがなく見栄えを向上することができる。
【０００９】
しかしながら、他の要求として、こうしたボード昇降装置においては、一般に乗員等の作業者が、ボード部材を手作業によって、前後方向及び上下方向にスライド移動させて係合位置を切換るため、ボード部材のスライド移動をできるだけ円滑に行えるように構成することが求められる。
【００１０】
この点、特許文献２のボード昇降装置においては、ヒンジ軸案内片が金属製バネ材によって構成されているため、スライドピンを付勢力に抗してスライド移動させる必要があり、ボード部材を円滑にスライド移動させることができないという問題があった。
【００１１】
また、ボード昇降装置のガイド部材においては、一般に複数のスライド溝の開閉切換えを行うため、複数の開閉部を設けることになるが、特許文献２のボード昇降装置では、各開閉部ごとで付勢力が発生するように、車体側部材にヒンジ軸案内片を強固に固定している。
【００１２】
このため、このボード昇降装置では、ガイド部材（ヒンジ軸案内片）の取付け構造が複雑になり、また、ガイド部材の車体側取付け部の剛性も高める必要があった。
【００１３】
そこで、本発明は、ボード部材の係合位置を上下方向に変更できるように構成した自動車荷室のボード昇降装置において、スライドピンをスライド移動させるスライド係合溝を床面下方位置に形成して荷室床面に露出するのを防ぎ、また、スライドピンのスライド移動をより円滑に行なうことができ、さらに、複数の開閉部を有するガイド部材の取付け構造も簡略化できる自動車荷室のボード昇降装置を提供することを目的とする。
【課題を解決するための手段】
【００１４】
この発明の自動車荷室のボード昇降装置は、車体後部の荷室内に設置される床面ボード部材と、該床面ボード部材の前部側方に設けたスライドピンと、荷室側面に設けられ該スライドピンがスライド自在に係合するスライド係合溝と、を備えた自動車荷室のボード昇降装置であって、前記スライド係合溝が、水平方向に延びて上方に床面を構成する上壁を有する溝形状の水平溝部と、該水平溝部から下方側に略上下方向に延びる溝形状の上下溝部とを備え、該上下溝部と水平溝部との間には、前記スライドピンの移動を開閉動作で制御するガイド部材を設け、該ガイド部材には、前記スライドピンの前記上下溝部の下部から前記水平溝部の第一端部への移動を許容し、該第一端部から前記上下溝部の下部への移動を制限する第一開閉部と、前記スライドピンの前記水平溝部の前記第一端部から第二端部への移動を許容し、該第二端部から前記第一端部への移動を制限する第二開閉部とを備え、該第一開閉部と該第二開閉部を同一の回動軸で回動自在に軸支して、該第一開閉部と該第二開閉部の開閉動作が連動するように連結する連結手段を備えたものである。
【００１５】
上記構成によれば、まず、スライド係合溝の水平溝部には、上方に床面を構成する上壁を有するため、スライド係合溝が荷室床面に露出することがない。  
また、スライドピンの移動を開閉動作で制御するガイド部材が第一開閉部と第二開閉部とを備えており、この第一開閉部と第二開閉部が同一の回動軸で回動自在に軸支されて、連結手段で第一開閉部と第二開閉部の開閉動作が連動されることになる。  
このため、ガイド部材の複数の開閉部の開閉動作を、車体側によらず、一方の開閉部の動きを利用して、他方の開閉部の動きを制御することが可能となり、開閉動作を制御する構造を単純化することができる。また、車体側には負荷を掛けないため、車体側の取付け強度も高くする必要がない。
【００１６】
この発明の一実施態様においては、前記第一開閉部と第二開閉部は、一方を他方に対して重く設定しており、該一方の自重で他方の開閉動作を制御するものである。  
上記構成によれば、一方の開閉部の自重を利用して、他方の開閉部の開閉動作を制御することで、バネ等の付勢部材を用いて開閉動作の制御を行う必要がない。  
よって、付勢部材の車体側の位置決めや、付勢部材の車体側支持部を必要とせず、低コストでガイド部材を構成することができる。また、ガイド部材の耐久性を向上することもできる。
【００１７】
この発明の一実施態様においては、前記連結手段が、前記第一開閉部と前記第二開閉部とを所定姿勢に付勢する付勢部材であるものである。  
上記構成によれば、第一開閉部と第二開閉部を連結する連結手段が、所定姿勢に付勢する付勢部材であるため、水平溝部の上壁に当接すること等で、両開閉部の姿勢が所定姿勢から崩れたとしても、付勢部材の付勢力によって両開閉部の姿勢を、所定姿勢に復帰させることができる。  
よって、水平溝部等の溝幅をさほど広げなくても、第一開閉部と第二開閉部をスライド係合溝内で開閉動作させることができ、上壁の厚みを確保しながらも、ガイド部材の開閉動作機能を満足させることができる。
【００１８】
この発明の一実施態様においては、前記連結手段が、前記第一開閉部と前記第二開閉部とを一体化する構造であるものである。  
上記構成によれば、第一開閉部と第二開閉部とを一体化することで、開閉動作が連動するように構成したため、構成部品を別体で構成するものよりも削減することができる。  
よって、ガイド部材の部品点数の削減を図ることができ、ボード昇降装置の生産性を高めることができる。
【００１９】
この発明の一実施態様においては、前記第一開閉部と第二開閉部は、長さが異なるように形成して、該長さの長い方の開閉部の中間に、開放時に前記水平溝部の上壁に沿って変形する変形部を設けたものである。  
上記構成によれば、一方の開閉部の長さを長くしつつも、中間に設けた変形部によって開閉部が上壁に沿って変形することになる。  
このため、開閉部の開放量（開放角度）を増加しつつも、水平溝部の上壁の厚みも増加させることができる。  
よって、スライドピンのスライド移動をより円滑に行なうことができ、また、上壁の剛性を高めて、荷室床面の強度を高めることができる。
【００２０】
この発明の一実施態様においては、前記水平溝部の上壁の一部に、前記開閉部が嵌る凹部を設けたものである。  
上記構成によれば、開閉部の開放量（開放角度）を増加しつつも、上壁の他の部分の厚みを確保することができる。  
よって、開閉部の構造を複雑にすることなく、上壁を必要な部分だけ凹設して、上壁の剛性を確保することができる。
【００２１】
この発明の一実施態様においては、前記凹部が、前記スライドピンをスライド係合溝に対して着脱する開口部であるものである。  
上記構成によれば、凹部を利用して、スライドピンの着脱を行なうことができる。  
よって、床面ボード部材の着脱作業を容易に行なうことができる。
【００２２】
この発明の一実施態様においては、前記水平溝部の上壁の上面を、上側位置にある前記床面ボード部材の上面と略面一の高さに設定して荷室床面サイド部としたものである。  
上記構成によれば、前記水平溝部の上壁の上面も含めて、床面ボード部材と略面一の荷室床面を構成することができる。  
よって、床面ボード部材よりも広い範囲で荷室床面を構成することができて、荷室のフラット面をより広く構成することができる。
【００２３】
この発明の一実施態様においては、前記スライドピンを、前記床面ボード部材の側方投影面内で上下中央位置よりも下方側にオフセットして設けたものである。  
上記構成によれば、スライドピンを、床面ボード部材の側方投影面内で下方位置にオフセットして設けているため、床面ボード部材の上側部分の厚みを厚くすることができる。  
このため、この床面ボード部材の上側部分を厚くした厚み分を、水平溝部の上壁の厚みとして厚くすることができるため、上壁の強度を高めることができる。  
よって、スライドピンの取付け剛性を確保しつつも、上壁の強度を高め、荷室床面の剛性を高めることができる。また、荷室ボード部材を荷室のフラットな床に載置できる。
【００２４】
この発明の一実施態様においては、前記上下溝部は、傾斜勾配を有して形成して、前記第一開閉部を、該上下溝部の下面側通路を開閉する位置に無負荷時閉鎖するように設け、前記第二開閉部を、前記上下溝部の上面側通路を開閉する位置に無負荷時起立開放するように設けたものである。  
上記構成によれば、上下溝部が傾斜勾配を有して形成されることで、床面ボード部材を昇降する際には、傾斜勾配を利用して昇降すればよいため、作業者は軽快に作業することができる。  
また、各開閉部も各位置で無負荷状態で、各通路を開閉しているため、スライドボードをスライド移動させる際に、大きな負荷がスライドピンに作用しない。  
よって、床面ボード部材の昇降作業を、より円滑に軽快に行うことができる。
【００２５】
この発明の一実施態様においては、前記第一開閉部と第二開閉部は、略等長の長さで形成して、該第一開閉部の自重で第二開閉部を起立方向に開閉動作するように、該第二開閉部の幅を、第一開閉部の幅よりも幅狭に形成したものである。  
上記構成によれば、第一開閉部と第二開閉部が略等長であるため、開閉動作の際に、いずれの開放角度も同程度にでき、水平溝部の上壁の凹部等に各開閉部が引っ掛かることをなくすことができる。  
また、重量の差を、開閉部の幅によって生じさせているため、各開閉部の厚みを一定にでき、スライド係合溝部のスライドピンの挿通スペースを圧迫することない。  
よって、ガイド部材の開閉動作も円滑に生じさせることができ、また、スライドピンのスライド移動も円滑に生じるため、トランクボードのスライド移動を円滑に行なうことができる。
【００２６】
この発明の一実施態様においては、前記上下溝部は、水平溝部との前後境界部分に、それぞれ略同じ勾配で傾斜した傾斜面を備えるものである。  
上記構成によれば、上下溝部の上側には、略同じ勾配で傾斜した傾斜面を備えているため、スライド係合溝部の傾斜角度を比較的緩やかにすることができ、スライドピンのスライド移動を円滑に生じさせることができる。  
特に、降下時におけるスライドピンの衝撃を緩和できるため、スライドピンへの負担や打音の低減を図ることができる。  
よって、スライドピンの耐久性を高めることができるとともに、床面ボード部材の昇降作業をより円滑に行うことができる。
【発明の効果】
【００２７】
この発明によれば、スライド係合溝の水平溝部には、上方に床面を構成する上壁を有するため、スライド係合溝が荷室床面に露出することがない。また、ガイド部材の複数の開閉部の開閉動作を、車体側によらず、各開閉部の動きを利用して制御することが可能となり、開閉動作を制御する構造を単純化することができる。さらに、車体側には負荷を掛けないため、車体側の取付け剛性も高くする必要もなくなる。  
よって、ボード部材の係合位置を上下方向に変更できるように構成した自動車荷室のボード昇降装置において、スライドピンをスライド移動させるスライド係合溝を床面下方位置に形成して荷室床面に露出するのを防ぎ、また、スライドピンのスライド移動をより円滑に行うことができ、さらに、複数の開閉部を有するガイド部材の取付け構造も簡略化できる。
【発明を実施するための最良の形態】
【００２８】
以下、図面に基づいて本発明の実施形態について詳述する。  
図１は本発明の自動車荷室のボード昇降装置を採用した第一実施形態の荷室の後方斜視図である。図２は図１のＡ−Ａ線矢視断面図であり、図３は図１のＢ−Ｂ線矢視断面図であり、図４は荷室の平面図である。
【００２９】
自動車Ｖの後部には、後方にリヤゲート開口部１を備えた荷室Ｔを設けている。この荷室Ｔは、前部がリヤシート２のシートバック２ａで区画されており、側部がリヤサイドパネル等の側壁３で区画されており、上部がルーフパネル４で区画されており、さらに、下部がトランクボード５で区画されて、これら構成要素によって、略ボックス形状の空間が構成されている。
【００３０】
この荷室Ｔは、図示しないが、シートバック２ａを前方に倒すことにより荷室Ｔの空間容積を拡大したり、また、後述するように、トランクボード５を昇降移動させることで、荷室Ｔの床面位置を上下動できるように構成している。このように、荷室Ｔの容積や床面の高さを変更できるように構成することで、荷室Ｔを様々な用途に用いることが可能となり、荷室Ｔの利便性を高めている。
【００３１】
このうち、トランクボード５は、比較的剛性の高い合成樹脂製の略正方形状の平板部材で構成しており、上下方向に昇降可能に構成している。また、前端部を支点として回動可能となるように構成している。さらに、荷室Ｔから着脱可能に構成しており、荷室Ｔ下部に設置されるスペアタイヤＳ等（図２参照）に容易にアクセスできるように構成している。
【００３２】
図２に示すように、リヤシート２の後方位置では、フロアパネル６が下方に大きく凹設してスペアタイヤパン７を形成している。このスペアタイヤパン７の内部には、スペアタイヤＳを収納しており、パンク時等にはこのスペアタイヤパン７から取り出せるように構成している。
【００３３】
スペアタイヤＳの上方には、合成樹脂製のトランクトレイ８を設置している。このトランクトレイ８は、所定の深さを有しており、内部（トランクボックス）Ｕには、工具や清掃道具等の車載道具等（図示せず）を収納できるように構成している。
【００３４】
このトランクトレイ８の前端には、リヤシート２側への車載道具等の飛び出しを防ぐ、前壁部８ａを設けている。また、このトランクトレイ８の後端部８ｂは、リヤゲート開口部１から延びる樹脂製のトランクエンドパネル９に支持されている。
【００３５】
このトランクエンドパネル９は、リヤエンドクロスメンバー１０の上方から前方側に設置しており、前方側に下方に落ち込む段部９Ａ，９Ｂを形成している。上方に上段部９Ａを形成して、下方に下段部９Ｂを形成している。このうち、下段部９Ｂで、前述のトランクトレイ８の後端部８ｂを支持している。
【００３６】
また、この上段部９Ａと下段部９Ｂとによって、トランクボード５の後端を支持するボート後端支持部１１を構成している。実線で示した状態がトランクボード５が上側定位置にある状態であり、一点鎖線で示した状態がトランクボード５が下側定位置にある状態である。
【００３７】
トランクボード５の前方には、リヤシート２との間を塞ぐ横長の補助ボード１２を設けている。この補助ボード１２を設けることで、トランクボード５が上側定位置にあるとき（図２の実線で示した位置）に、ほぼ面一の荷室Ｔのフロア面を構成できる。
【００３８】
また、リヤエンドクロスメンバー１０には、上方に延びるゲートストライカ１３を設けており、このゲートストライカ１３に、リヤゲート１４に設けられたゲートラッチＲを係合することで、車体後方側で開閉自在に設置されたリヤゲート１４を閉鎖固定している。
【００３９】
また、図３に示すように、フロアパネル６は、車幅方向側端部で車体前後方向に延びるリヤサイドフレーム１５，１５と接合しており、車体骨格部材に対して強固に固定している。
【００４０】
そして、このフロアパネル６の中央には、前述したスペアタイヤパン７を凹設している。また、この上方には、前述したこのトランクトレイ８を、車幅方向全幅に亘って設置して、この上方空間を前述したトランクボックスＵとして構成している。さらに、その上方にはトランクボード５を設置している。
【００４１】
荷室Ｔの両側端部には、上下方向に延びる合成樹脂製のリヤサイドトリム１６，１６を設けている。このリヤサイドトリム１６，１６の下部には、車幅内方側に突出するボード前側支持部１７，１７を形成している。
【００４２】
図４に示すように、トランクボート５の前部には、車幅方向に延びる軸部材２０を貫通配置しており、その両端を車幅外方側に突出させることで、スライドピン２１，２１を構成している。
【００４３】
このスライドピン２１は、トランクボード５の前部位置を規定するために、前述のボード前側支持部１７に係合支持されるように構成している。
【００４４】
このボード前側支持部１７には、スライドピン２１のスライド係合位置を規定するスライド係合溝２２を設けている。スライド係合溝２２は、スライドピン２１が円滑にスライド移動できる幅と深さを有する凹状溝で構成している。
【００４５】
そして、このスライド係合溝２２は、後述するように、水平溝部２３と傾斜溝部２４とを備えており、トランクボード５の上側定位置と下側定位置とを規定するように構成している。
【００４６】
また、このスライド係合溝２２には、スライドピン２１の係合位置を開閉動作によって制御するガイド部材３０を設けている。
【００４７】
次に、図５〜図９によって、この第一実施形態のガイド部材３０とスライド係合溝２２について説明する。図５がスライド係合溝とガイド部材とを示した全体側面図、図６がガイド部材をスライド係合溝から分解して示した分解斜視図、図７がガイド部材の単品斜視図、図８がガイド部材を利用してトランクボードを下側定位置から上側定位置に移動させる際の作動状態図、図９がガイド部材を利用してトランクボードを上側定位置から下側定位置に移動させる際の作動状態図である。
【００４８】
まず、スライド係合溝２２は、図５に示すように、ボード前側支持部１７の荷室内側面に凹設形成されており、前後方向に略水平方向に延びる水平溝部２３と、水平溝部２３の中央から前側下方に所定の傾斜勾配α（例えば、２５度）で傾斜する上下溝部たる傾斜溝部２４とを備えている。
【００４９】
このうち、水平溝部２３の前端では、トランクボード５の上側定位置を係止して規定する第一規定部２２Ａを設定している。また、水平溝部２３の後端では、トランクボード５の引き上げ後端位置を規定する第二規定部２２Ｂを設定している。さらに、傾斜溝部２４の下部前端では、トランクボード５の下側定位置を係止して規定する第三規定部２２Ｃを設定している。
【００５０】
水平溝部２３の上方には、水平溝部２３と平行に延びる上壁２５を設けている。この上壁２５は、上下方向の厚みを所定の厚みｔ（例えば１ｃｍ）を有するように形成している。
【００５１】
この上壁２５の上面２５ａは、トランクボード５上面と略面一となるように形成されており、荷室床面ＴＦの床面サイド部２６（図１参照）を構成するようにしている。これにより、荷室床面ＴＦは、トランクボード５上面よりも広い範囲で形成されることになる。
【００５２】
この上壁２５には、前後位置に二箇所離間して、上方に窪んだ略三角形状の係止凹部２７，２７を形成している。この係止凹部２７，２７は、後述するガイド部材３０の開閉ハネ部３１，３２が開閉動作する際に、開閉ハネ部３１，３２のストッパーとして機能する。
【００５３】
このように、係止凹部２７，２７を上方に窪ませているのは、以下の理由による。  
まず、開閉ハネ部３１，３２は、傾斜溝部２４との間の下面側通路２８と上面側通路２９を塞ぐため比較的長くする必要がある。もっとも、この長い開閉ハネ部３１，３２をスライドピン２１の挿通スペースで邪魔にならないように大きく開放する必要がある。この結果、開閉ハネ部３１，３２の厚みや開放範囲は大きく確保する必要がある。
【００５４】
また、一方で、上壁２５は、上面２５ａが荷室床面ＴＦのサイド部２６を構成するため、ある程度、強度が必要である。このため、上壁２５では、前述のように所定の厚み（ｔ）を確保する必要がある。
【００５５】
そこで、これら二つの要求を満足するため、係止凹部２７，２７を、各開閉ハネ部３１，３２に対応する必要な部分だけを窪ませているのである。
【００５６】
なお、本実施形態では、スライドピン２１の設置位置を、トランクボード５の側方投影面内（図５の一点鎖線内）で、トランクボード５の上下中央位置ＣＬよりも下方側にオフセットする位置に設定している。  
これは、スライド係合溝２２の水平溝部２３の高さ位置を、スライドピン２１がオフセットした厚み分、荷室床面ＴＦの高さ位置から下方側に形成することができるからである。また、トランクボード５の側方投影面内で設定することで、軸部材２０をトランクボード５内に貫通配置して、スライドピン２１の取付け剛性を高めることができるからである。また、スライドピン２１がトランクボード５の下方に突出しないので、トランクトレイの底にきれいに敷くことができる。
【００５７】
傾斜溝部２４は、前方下方側に大きく延びており、下端前端部には、トランクボード５を確実に係止できるように水平部２４ａを設けている。この傾斜溝部２４は、傾斜勾配αを前述のように比較的緩やかにすることで、トランクボード５の下側定位置からの引き上げ力を軽減するようにしている。
【００５８】
傾斜溝部２４の上部には、ガイド部材３０を挟んで、後方側に下面側通路２８を形成して、前方側に上面側通路２９を形成している。下面側通路２８は、スライドピン２１が傾斜溝部２４から水平溝部２３へ移動する際に通過するように設定されており、上面側通路２９は、スライドピン２１が水平溝部２３から傾斜溝部２４へ移動する際に通過するように設定されている。
【００５９】
下面側通路２８は、トランクボード５を引き上げる際の通路となるため、比較的緩やかな屈曲路となっており、一方、上面側通路２９は、トランクボード５を降下する際の通路となるため、急な屈曲路となっている。
【００６０】
前述のガイド部材３０は、後方側に位置する第一開閉ハネ部３１と、前方側に位置する第二開閉ハネ部３２と、回動軸となる軸支ボルト部材３３と、第一開閉ハネ部３１と第二開閉ハネ部３２を所定姿勢に保持するスプリング部材３４（図６参照）と、で構成している。
【００６１】
具体的には、図６に示すように、第一開閉ハネ部３１は、合成樹脂によって成形された羽根状片で構成しており、円筒ボス部３１ａと略矩形の翼状部３１ｂとを備えている。  
また、第二開閉ハネ部３２も、合成樹脂によって成形された羽根状片で構成しており、円筒ボス部３２ａと略矩形の翼状部３２ｂとを備えている。
【００６２】
この第一開閉ハネ部３１の翼状部３１ｂと第二開閉ハネ部３２の翼状部３２ｂは、第一開閉ハネ部３１の翼状部３１ｂのほうが長く形成されている。これは、第一開閉ハネ部３１が通路開口の長い下面側通路２８（図５参照）を閉鎖するためである。また、この結果、第一開閉ハネ部３１の方が第二開閉ハネ部３２よりも重くなっている。
【００６３】
スプリング部材３４は、両端部３４ａ，３４ｂが略Ｌ字状に延びる金属製のコイルスプリングで構成している。このスプリング部材３４は、第一開閉ハネ部３１と第二開閉ハネ部３２とを所定の姿勢状態に維持する付勢力を有している。
【００６４】
軸支ボルト部材３３は、一般的なボルトで構成しており、第一開閉ハネ部３１の円筒ボス部３１ａ、第二開閉ハネ部３２の円筒ボス部３２ａ、それにスプリング部材３４を、それぞれ貫通して、水平溝部２３の中央に穿設した軸支穴３５に締結固定している。
【００６５】
この軸支ボルト部材３３は、車幅方向に延びるように締結固定されており、第一開閉ハネ部３１と第二開閉ハネ部３２を、前後方向に回動自在となるように軸支している。
【００６６】
図７に、このガイド部材３０を組み上げた状態の単品状態を示す。  
ガイド部材３０は、第一開閉ハネ部３１と第二開閉ハネ部３２とが、側面視で略Ｌ字状姿勢となるように組み上げられており、この姿勢をスプリング部材３４によって保持されている。
【００６７】
このため、ガイド部材３０は、無負荷状態で常に略Ｌ字状の姿勢を維持するようになっており、スライドピン２１が当接して開閉ハネ部３１，３２に力が作用した場合には、姿勢状態が変化するものの、即座にＬ字状の姿勢を回復するようになっている。
【００６８】
このガイド部材３０は、スライド係合溝２２に組付けた状態（定常状態）で、図５に示すように、第一開閉ハネ部３１が後方側に倒れることで下面側通路２８を閉鎖して、第二開閉ハネ部３２が前方中央側に起き上がることで上面側通路２９を開放している。
【００６９】
ここで、第一開閉ハネ部３１が後方側に倒れるのは、第二開閉ハネ部３２よりも第一開閉ハネ部３１の方が重いからである。また、第二開閉ハネ部３２が起き上がっているのは、スプリング部材３４を介して第一開閉ハネ部３１に連結されて、第一開閉ハネ部３１の動きと連動するようになっているからである。
【００７０】
次に、図８、図９によって、このガイド部材３０を利用したトランクボード５の昇降移動の作動状態について説明する。
【００７１】
まず、図８でトランクボード５を下側定位置から上側定位置に移動させる場合の作動状態について説明する。
【００７２】
図８（ａ）に示すように、まず、作業者（図示せず）は、下側定位置にあるトランクボード５を斜め後方に引き上げる。このとき、スライドピン２１は、傾斜溝部２４から、下面側通路２８を経由して、水平溝部２３の後端（第二規定部２２Ｂ）にスライド移動する。  
この際、ガイド部材３０は、スライドピン２１が第一開閉ハネ部３１を上方に跳ね上げることで、下面側通路２８を開放する。なお、第二開閉ハネ部３２も、同時に第一開閉ハネ部３１の動きに連動して前方側に倒れる。
【００７３】
次に、図８（ｂ）に示すように、作業者がトランクボード５を逆に前方側に押込むと、スライドピン２１は、第一開閉ハネ部３１が自重により下面側通路２８を閉鎖しているため、この第一開閉ハネ部３１の上方を通過して、前方にスライド移動する。
【００７４】
そして、図８（ｃ）に示すように、トランクボード５をさらに前方側に押込むと、スライドピン２１は、第二開閉ハネ部３２を後方から押し倒して、上面側通路２９を封鎖する。このため、スライドピン２１は、第二開閉ハネ部３２の上方を通過して、前方にスライド移動する。なお、第一開閉ハネ部３１も、第二開閉ハネ部３２の動きに連動して前方側に起き上がる。もっとも、スプリング部材３４の付勢力を弱く設定している場合には、この起き上がり量は少なくなる。
【００７５】
その後、図８（ｄ）に示すように、トランクボード５を前端部に押込んだ場合には、スライドピン２１が水平溝部２３の前端（第一規定部２２Ａ）に移動する。このとき、ガイド部材３０は、再度自重により、第一開閉ハネ部３１が後方に倒れて、第二開閉ハネ部３２が起き上がる。
【００７６】
最後に、トランクボード５後部を下方に下ろすようにトランクボード５を回動すると、図８（ｅ）に示すように、トランクボード５後端がボード後端支持部１１の上段部９Ａに載置される。  
こうして、トランクボード５は、上側定位置に係合支持される。
【００７７】
次に、図９でトランクボード５を上側定位置から下側定位置に移動させる場合の作動状態について説明する。
【００７８】
図９（ａ）に示すように、作業者（図示せず）は、トランクボード５の後部を上方に持ち上げてから、やや後方に引いて下方に落とし込む。このとき、スライドピン２１は、第二開閉ハネ部３２が起き上がって、上面側通路２９を開放しているため、そのまま上面側通路２９を介して傾斜溝部２４に落ち込む。
【００７９】
そして、トランクボード５を下方前方側に押込むことで、スライドピン２１が傾斜溝部２４をスライド移動して下部前端（第三規定部２２Ｃ）に位置する。
【００８０】
その後、図９（ｂ）に示すように、トランクボード５後端がボード後端支持部１１である下段部９Ｂに載置されることで、トランクボード５は下側定位置に係合支持される。
【００８１】
このように、ガイド部材３０を用いることにより、トランクボード５を円滑に昇降移動させることができる。
【００８２】
次に、このように構成した本実施形態の作用効果について説明する。  
この実施形態では、スライド係合溝２２が、水平方向に延びて上方に床面を構成する上壁２５を有する水平溝部２３と、この水平溝部２３から下方側に延びる傾斜溝部２４とを備え、この傾斜溝部２４と水平溝部２３との間には、スライドピン２１の移動を開閉動作で制御するガイド部材３０を設け、このガイド部材３０には、スライドピン２１の傾斜溝部２４の下部から水平溝部２３の後端（２２Ｂ）への移動を許容し、水平溝部２３の後端（２２Ｂ）から傾斜溝部２４の下部への移動を制限する第一開閉ハネ部３１と、スライドピン２１の水平溝部２３の後端（２２Ｂ）から前端（２２Ａ）への移動を許容し、水平溝部２３の前端（２２Ａ）から後端（２２Ｂ）への移動を制限する第二開閉ハネ部３２とを備えており、この第一開閉ハネ部３１と第二開閉ハネ部３２を同一の軸支ボルト部材３３で回動自在に軸支して、この第一開閉ハネ部３１と第二開閉ハネ部３２の開閉動作が連動するように、スプリング部材３４で連結している。
【００８３】
これにより、スライド係合溝２２の水平溝部２３は、上方に床面を構成する上壁２５を有するため、スライド係合溝２２が荷室床面ＴＦに露出することがない。  
また、ガイド部材３０の第一開閉ハネ部３１と第二開閉ハネ部３２は、同一の軸支ボルト部材３３で回動自在に軸支されて、スプリング部材３４で開閉動作が連動するようになっている。  
このため、ガイド部材３０の二つの開閉ハネ部３１，３２の開閉動作を、車体側によらず、一方の開閉ハネ部（３１）の動きを利用して、他方の開閉ハネ部（３２）の動きを制御することが可能となり、開閉動作を制御する構造を単純化することができる。また、車体側には、開閉動作を制御するための負荷を掛けないため、車体側の取付け剛性も高くする必要がない。  
よって、トランクボード５の係合位置を上下方向で変更できるように構成した自動車荷室のボード昇降装置において、スライドピン２１をスライド移動させるスライド係合溝２２を荷室床面ＴＦに露出するのを防ぎ、また、スライドピン２１のスライド移動をより円滑に行うことができ、さらに、複数の開閉ハネ部３１，３２を有するガイド部材３０の取付け構造も簡略化できる。
【００８４】
また、この実施形態では、第一開閉ハネ部３１と第二開閉ハネ部３２は、第一開閉ハネ部３１が第二開閉ハネ部３２に対して重く設定しており、第一開閉ハネ部３１の自重で第二開閉ハネ部３２の開閉動作を制御するようにしている。  
これにより、バネ等の付勢部材を用いて、ガイド部材３０の開閉動作の制御を行う必要がない。  
よって、付勢部材の車体側の位置決めや、付勢部材の車体側支持部を必要とせず、低コストでガイド部材３０を構成することができる。また、ガイド部材３０の耐久性を向上することもできる。
【００８５】
なお、この実施形態では、第一開閉ハネ部３１の長さを長く設定することで、第二開閉ハネ部３２よりも、重くなるように設定しているが、例えば、第一開閉ハネ部３１を金属材料で成形することで重量差を生じさせたり、樹脂材料の種類を変えて重量差を生じさせたり、その他、様々な方法によって、第一開閉ハネ部３１の方を重くなるように設定してもよい。
【００８６】
また、この実施形態では、スプリング部材３４で、第一開閉ハネ部３１と第二開閉ハネ部３２とを側面視略Ｌ字状の姿勢に付勢している。  
これにより、第一開閉ハネ部３１や第二開閉ハネ部３２が水平溝部２３の上壁２５に当接することで、両開閉ハネ部３１，３２の姿勢が崩れたとしても、スプリング部材３４の付勢力によって、両開閉ハネ部３１，３２の姿勢を、略Ｌ字状の姿勢に復帰させることができる。  
よって、水平溝部２３等の幅を広げることなく、第一開閉ハネ部３１と第二開閉ハネ部３２をスライド係合溝２２内で開閉動作させることができ、上壁２５の厚みを確保しながら、ガイド部材３０の開閉動作機能を満足させることができる。
【００８７】
また、この実施形態では、水平溝部２３の上壁２５の一部に、開閉ハネ部３１，３２が嵌る係合凹部２７，２７を設けている。  
これにより、開閉ハネ部３１，３２の開放量（開放角度）を増加しつつも、上壁２５の他の部分の厚みを確保することができる。  
よって、開閉ハネ部３１，３２の構造を複雑にすることなく、上壁２５を必要な部分だけ凹設して、上壁２５の剛性を確保することができる。
【００８８】
また、この実施形態では、上壁２５の上面２５ａを、上側定位置にあるトランクボード５の上面と略面一の高さに設定して荷室床面ＴＦのサイド部２６としている。  
これにより、上壁２５の上面２５ａも含めて、略面一の荷室床面ＴＦとして構成することができる。  
よって、トランクボード５よりも広い範囲で荷室床面ＴＦを構成することができて、荷室Ｔのフラット面をより広く構成することができる。
【００８９】
また、この実施形態では、スライドピン２１を、トランクボード５の側方投影面内（図５の５で示す一点鎖線参照）で上下中央位置ＣＬよりも下方側にオフセットして設けている。  
これにより、トランクボード５の上側部分の厚みを厚くすることができる。  
このため、このトランクボード５の上側部分を厚くした厚み分を、水平溝部２３の上壁２５の厚みとして厚くすることができるため、上壁２５の強度を高めることができる。  
よって、スライドピン２１の取付け剛性を確保しつつも、上壁２５の強度を高め、荷室床面ＴＦの剛性を高めることができる。
【００９０】
また、この実施形態では、傾斜溝部２４を比較的緩やかな傾斜勾配αで形成して、第一開閉ハネ部３１を、傾斜溝部２４の下面側通路２８を開閉する位置で無負荷時閉鎖するように設け、第二開閉ハネ部３２を、上面側通路２９を開閉する位置で無負荷時起立開放するように設けている。  
これにより、トランクボード５を昇降する際には、緩やかな傾斜勾配αを利用して昇降すればよいため、作業者は軽快に作業することができる。  
また、各開閉ハネ部３１，３２も各位置で無負荷状態で、各通路２８，２９を開閉するため、トランクボード５をスライド移動させる際に、大きな負荷がスライドピン２１に作用しない。  
よって、トランクボード５の昇降作業を、より円滑に軽快に行うことができる。
【００９１】
次に、第二実施形態について、図１０〜図１２によって説明する。図１０は第二実施形態のガイド部材とスライド係合溝とを示した全体側面図、図１１はガイド部材の作動状態を説明する詳細側面図、図１２はガイド部材の平面図である。
【００９２】
この実施形態は、水平溝部２３の上壁２５をより強固にするために、係合凹部をなくして上壁２５の下面２５ｂを平滑に構成しつつも、ガイド部材４０の構造を工夫することで、ガイド部材４０の開閉動作も確実に生じるように構成したものである。
【００９３】
図１０に示すように、この実施形態のスライド係合溝２２は、上壁２５の下面２５ｂに係合凹部を設けず、平滑面として形成している。このため、上壁２５の厚みｔを全体亘って厚くすることができ、上壁２５の強度を高めることができる。
【００９４】
もっとも、下面側通路２８の通路幅（長さ）を閉鎖するためには、第一開閉ハネ部４１の長さを長くする必要があり、また、下面側通路２８のスライドピン２１の挿通スペースを確保するためには、開放量も大きくする必要もある。
【００９５】
そこで、本実施形態のガイド部材４０では、第一開閉ハネ部４１の中間位置に、屈曲変形可能な変形部４２を設けて、この要求を満足している。  
すなわち、第一開閉ハネ部４１を、基部４１ａと端部４１ｂで構成して、この間に変形部４２を設けることで、第一開閉ハネ部４１の開放時には、端部４１ｂが上壁２５に沿って変形するように構成しているのである。
【００９６】
具体的には、図１１、図１２に示すように、ガイド部材４０は、第一開閉ハネ部４１と第二開閉ハネ部４３とを有して構成しており、このうち、第一開閉ハネ部４１には、矩形板状の基部４１ａと、矩形板状の端部４１ｂとを有している。  
基部４１ａと端部４１ｂとの間には、両者を貫通して連結する軸支部材４１ｃを設けており、この軸支部材４１ｃには、基部４１ａと端部４１ｂを、無負荷時に略直線状に維持するコイルスプリング４１ｄを設けている。なお、図１２のＶ１は車体側部材である。
【００９７】
このため、第一開閉ハネ部４１は、図１１に示すように、実線で示す無負荷時に、直線状態で下面側通路２８を閉鎖するように位置して、破線で示すスライドピン２１通過時（有負荷時）には、端部４１ｂが上壁２５に沿って屈曲変形して、下面側通路２８を開放するようになっている。
【００９８】
よって、この第一開閉ハネ部４１は、長さを長く形成しつつも、中間位置で屈曲変形するため、開放量を大きくすることができる。
【００９９】
このように、この実施形態では、第一開閉ハネ部４１の中間に、開放時に水平溝部２３の上壁２５に沿って変形する変形部４２を設けている。  
これにより、第一開閉ハネ部４１の長さを長くしつつも、中間に設けた変形部４２によって第一開閉ハネ部４１が上壁２５に沿って変形することになる。  
このため、第一開閉ハネ部４１の開放量（開放角度）を増加しつつも、上壁２５の厚みｔも増加させることができる。  
よって、スライドピン２１のスライド移動をより円滑に行なうことができ、また、上壁２５の剛性を高めて、荷室床面ＴＦの強度を高めることができる。
【０１００】
また、この実施形態のガイド部材４０は、第一開閉ハネ部４１と第二開閉ハネ部４３を一体化して構成している。これは、第一実施形態と異なり、第一開閉ハネ部４１と第二開閉ハネ部４３の姿勢が、上壁２５に当接したとしても、変化しないためである。  
このように、第一開閉ハネ部４１は、第二開閉ハネ部４３と一体化することで、第一開閉ハネ部４１と第二開閉ハネ部４３の開閉動作は、常に連動することになる。
【０１０１】
このように、この実施形態では、第一開閉ハネ部４１と第二開閉ハネ部４３とを一体化することで、第一開閉ハネ部４１と第二開閉ハネ部４３を別体で構成した場合よりも、構成部品を削減することができる。  
よって、ガイド部材４０の部品点数の削減を図ることができ、生産性を高めることもできる。
【０１０２】
なお、その他の作用効果については、前述の実施形態と同様である。
【０１０３】
次に、第三実施形態について、図１３と図１４で説明する。図１３は第三実施形態のガイド部材の分解斜視図、図１４は図１３のＣ−Ｃ線矢視断面図である。
【０１０４】
この第三実施形態は、ガイド部材５０の第一開閉ハネ部５１と第二開閉ハネ部５２を完全に一体化する共に、水平溝部２３の上壁２５を一部切欠いて開口部５３を設けて、この開口部５３を利用して、第一開閉ハネ部５１の開放起立時の回避空間としたものである。
【０１０５】
図１３に示すように、この実施形態のガイド部材５０は、第一開閉ハネ部５１と第二開閉ハネ部５２とこれらを一体とする円筒部５４とで構成している。このガイド部材５０を、他の実施形態と同様に、軸支ボルト部材３３でスライド係合溝２２内に軸支固定している。
【０１０６】
この実施形態では、さらに、ガイド部材５０の回動性を高めるために、円筒スペーサ５５と二枚のワッシャー５６，５６を用いて車体側部材Ｖ１に締結固定している（図１４参照）。なお、５７はナットである。
【０１０７】
また、第一開閉ハネ部５１に対応する上壁２５には、上方に開口した開口部５３を設けている。この開口部５３は、前述したように、第一開閉ハネ部５１の回避空間となる共に、スライドピン２１の着脱する際の着脱穴としても使用できる。  
このため、トランクボード５を着脱する作業も、容易に行うことができる。
【０１０８】
以上のように、この実施形態では、第一開閉ハネ部５１に対応する上壁２５に、スライドピン２１をスライド係合溝２２に着脱する開口部５３を設けている。  
これにより、第一開閉ハネ部５１の回避空間を利用して、スライドピン２１の着脱も行なうことができる。  
よって、トランクボード５のスライド係合溝２２からの着脱作業も容易に行なうことができ、トランクボード５を利用した荷室の利便性を、さらに高めることができる。
【０１０９】
なお、この実施形態のガイド部材５０は、樹脂やアルミダイキャスト等で一体成形することが考えられるが、重量差が生じにくい場合には、第一開閉ハネ部５１の厚みを厚くしたり、第一開閉ハネ部５１の先端にオモリを埋め込むようにしてもよい。
【０１１０】
なお、その他の作用効果については、前述の実施形態と同様である。
【０１１１】
次に、第四実施形態について、図１５〜図１７で説明する。図１５は第四実施形態のガイド部材とスライド係合溝の全体斜視図、図１６は図１５のＤ−Ｄ線矢視断面図、図１７は、スライドピンの上面側通路の通過状態を説明する側面図である。
【０１１２】
この第四実施形態は、トランクボード５を下側定位置に降下させる場合の衝撃を緩和するため、スライドピン２１が降下時に通過する上面側通路２９の傾斜勾配を緩やかにしたものである。但し、この場合には、上面側通路２９を閉鎖する第二開閉ハネ部６２の長さを長くする必要が生じる。そこで、この実施形態では、第一開閉ハネ部６１の幅よりも、第二開閉ハネ部６２の幅を、幅狭に形成することで、第一開閉ハネ部６１よりも、第二開閉ハネ部６２を軽くなるように構成している。
【０１１３】
具体的には、図１６に示すように、ガイド部材６０の第二開閉ハネ部６２の幅Ｐ２を、第一開閉ハネ部６１の幅Ｐ１よりも幅狭に設定することで、第一開閉ハネ部６１と第二開閉ハネ部６２との間で重量差を生じさせている。
【０１１４】
このように、第二開閉ハネ部６２が軽くなるように設定していることで、図１７に示すように、定常状態では、自重で第一開閉ハネ部６１が後方側に倒れて、第二開閉ハネ部６２が起き上がるような状態になる。このため、この実施形態でも、他の実施形態と同様に、スライドピン２１がスライド係合溝２２を円滑にスライド移動することになる。
【０１１５】
また、この実施形態では、第一開閉ハネ部６１と第二開閉ハネ部６２との長さが略等長となるように形成している。このため、両開閉ハネ部６１，６２の開放角度等を同一にすることができる。
【０１１６】
さらに、この実施形態では、図１７に示すように、スライド係合溝２２の上面側通路２９の傾斜面６３の傾斜勾配βを、約３０度程度に緩やかに設定している。これにより、スライドピン２１が傾斜溝部２４の下面２４ａに落ち込む差Ｗ１が、従来の湾曲面（破線で示すライン位置）の位置から落ち込む場合Ｗ２よりも、小さくできる。
【０１１７】
よって、スライドピン２１に作用する衝撃を、従来のものよりも緩和することができる。
【０１１８】
なお、詳細には図示しないが、逆にこの傾斜面６３を下側に凹状に湾曲させた場合には、スライドピン２１の降下初期に勢いが付くため、この場合も衝撃が大きく生じることになり、好ましくない。
【０１１９】
このように、この実施形態では、第一開閉ハネ部６１と第二開閉ハネ部６２を、略等長の長さで形成して、第一開閉ハネ部６１の自重で第二開閉ハネ部６２を起立方向に開閉動作するように、第二開閉ハネ部６２の幅Ｐ２を、第一開閉ハネ部６１の幅Ｐ１よりも幅狭に形成している。  
これにより、第一開閉ハネ部６１と第二開閉ハネ部６２が略等長であるため、開閉動作の際に、いずれの開放角度も同程度にできる。このため、水平溝部２３の上壁２５の係合凹部２７，２７に各開閉ハネ部６１，６２が引っ掛かり難くなり、ガイド部材６０の信頼性を高めることができる。  
また、自重の差を、各開閉ハネ部６１，６２の幅Ｐ１，Ｐ２の差によって生じさせているため、各開閉ハネ部６１，６２の厚みを一定にでき、スライド係合溝２２のスライドピン２１の挿通スペースを圧迫しないようにできる。  
よって、ガイド部材６０の開閉動作も円滑に生じさせることができ、また、スライドピン２１のスライド移動も円滑に生じることができるため、トランクボード５のスライド移動を円滑に行なわせることができる。
【０１２０】
また、この実施形態では、傾斜溝部２４の水平溝部２３との境界部分には、それぞれほぼ同じ勾配（α，β）で傾斜した傾斜面６３，２４ｂ（図１７参照）を対面するように形成している。
【０１２１】
これにより、上面側通路２９と下面側通路２８の傾斜勾配（α，β）を比較的緩やかにすることができ、スライドピン２１のスライド移動を円滑に生じさせることができる。  
特に、上面側通路２９を通過する際のスライドピン２１の衝撃を緩和できるため、スライドピン２１への負担や打音の低減を図ることができる。  
よって、トランクボード５の昇降作業をより円滑に行うことができる。
【０１２２】
その他の作用効果については、他の実施形態と同様である。
【０１２３】
以上、この発明の構成と前述の実施形態との対応において、
この発明の床面ボード部材は、実施形態のトランクボード５に対応し、
以下、同様に、
上下溝部は、傾斜溝部２４に対応し、
第一開閉部は、第一開閉ハネ部３１，４１，５１，６１に対応し、
第二開閉部は、第二開閉ハネ部３２，４３，５２，６２に対応し、
回動軸は、軸支ボルト部材３３に対応し、
付勢部材は、スプリング部材３４に対応し、
凹部は、係合凹部２７に対応するも、
この発明は、前述の実施形態に限定されるものではなく、あらゆる自動車荷室のボード昇降装置に適用する実施形態を含むものである。
【０１２４】
なお、本実施形態では、上下方向に延びる溝部を傾斜させて傾斜溝部としたが、ほとんど傾斜させずに、上下方向に略鉛直方向に延びるように構成してもよい。
【０１２５】
また、溝部の構造についても、さらに水平方向に延びる水平溝部を追加して、上下方向中間位置で、スライドピンを係止固定するように構成してもよい。
【図面の簡単な説明】
【０１２６】
【図１】本発明の自動車荷室のボード昇降装置を採用した第一実施形態の荷室の後方斜視図。
【図２】図１のＡ−Ａ線矢視断面図。
【図３】図１のＢ−Ｂ線矢視断面図。
【図４】荷室の平面図。
【図５】スライド係合溝とガイド部材とを示した全体側面図。
【図６】ガイド部材をスライド係合溝から分解して示した分解斜視図。
【図７】ガイド部材の単品斜視図。
【図８】ガイド部材を利用してトランクボードを下側定位置から上側定位置に移動させる際の作動状態図。
【図９】ガイド部材を利用してトランクボードを上側定位置から下側定位置に移動させる際の作動状態図。
【図１０】第二実施形態のガイド部材とスライド係合溝とを示した全体側面図。
【図１１】ガイド部材の作動状態を説明する詳細側面図。
【図１２】ガイド部材の平面図。
【図１３】第三実施形態のガイド部材の分解斜視図。
【図１４】図１３のＣ−Ｃ線矢視断面図。
【図１５】第四実施形態のガイド部材とスライド係合溝の全体斜視図。
【図１６】図１５のＤ−Ｄ線矢視断面図。
【図１７】スライドピンの上面側通路の通過状態を説明する側面図。
【符号の説明】
【０１２７】
５…トランクボード
２１…スライドピン
２２…スライド係合溝
２３…水平溝部
２４…傾斜溝部
２５…上壁
２７…係合凹部
２８…下面側通路
２９…上面側通路
３０…ガイド部材
３１…第一開閉ハネ部
３２…第二開閉ハネ部
３３…軸支ボルト部材
３４…スプリング部材
４０…ガイド部材
４１…第一開閉ハネ部
４３…第二開閉ハネ部
５０…ガイド部材
５１…第一開閉ハネ部
５２…第二開閉ハネ部
５３…開口部
６０…ガイド部材
６１…第一開閉ハネ部
６２…第二開閉ハネ部
【図１】
2009241795.tif 000003
【図２】
2009241795.tif 000004
【図３】
2009241795.tif 000005
【図４】
2009241795.tif 000006
【図５】
2009241795.tif 000007
【図６】
2009241795.tif 000008
【図７】
2009241795.tif 000009
【図８】
2009241795.tif 000010
【図９】
2009241795.tif 000011
【図１０】
2009241795.tif 000012
【図１１】
2009241795.tif 000013
【図１２】
2009241795.tif 000014
【図１３】
2009241795.tif 000015
【図１４】
2009241795.tif 000016
【図１５】
2009241795.tif 000017
【図１６】
2009241795.tif 000018
【図１７】
2009241795.tif 000019